(57)【要約】【課題】スリープ機能を有効にしても、簡単に無効にでき、且つ装置の消し忘れを検知して電源を自動的にオフすることができるテレビ受像機を提供する。【解決手段】て一定時間が経過するまでにユーザからの入力操作があると、制御部１０は、その操作が消極的操作かどうかを判定する。消極的操作であれば、制御部１０は、一定時間経過後に装置本体を電源オフする。これにより、装置本体各部への電流の供給が停止する。一方、積極的操作であれば、制御部１０は、スリープモードを中止する。これにより、装置本体各部への電流の供給が継続する。ここでは、積極的操作があれば、その操作をもってスリープ機能を無効にしている。これにより、ユーザは、簡単な操作によりスリープ機能を無効にすることができる。また、消極的操作があってもその操作をもってスリープ機能を無効にしないので、装置の消し忘れに失敗することもない。【選択図】  図２
2008244694.tif 000002
【特許請求の範囲】
【請求項１】
複数のキーが設けられ、操作されたキーに応じた操作信号を出力する操作手段と、
前記操作手段から出力された前記操作信号を検出する検出手段と、を備えたテレビ受像機において、
装置本体にセットされているメディアに記録されているデータを再生する再生手段と、
放送局から伝送されてきたテレビ放送信号から、選択されているチャンネルのテレビ放送信号を受信する受信手段と、
予め定められた入力操作が行われると、前記受信手段で受信された前記選択されているチャンネルのテレビ放送信号の前記メディアへの録画を開始する録画手段と、
電源オン時に前記装置本体各部に電流を供給する電源手段であって、前記予め定められた入力操作が行われると、一定時間経過後に前記装置本体を、前記受信手段および前記録画手段に対してのみ前記電流の供給を継続して電源オンを待ち受けるスタンバイ状態にするスリープモードを実行する電源手段と、を備え、
前記電源手段は、
前記スリープモード実行中、前記一定時間の間に前記検出手段において前記操作信号が検出されると、その操作が、音量のダウン、前記メディアの再生停止および前記メディアのエジェクトを含む所定の操作であるかどうかを判定し、
（１）その操作が前記所定の操作であれば、前記一定時間経過後に前記装置本体を前記電源オフ状態または前記スタンバイ状態にし、
（２）その操作が前記所定の操作でなければ、前記スリープモードを中止して、前記電流の供給を継続するテレビ受像機。
【請求項２】
複数のキーが設けられ、操作されたキーに応じた操作信号を出力する操作手段と、
前記操作手段から出力された前記操作信号を検出する検出手段と、を備えたテレビ受像機において、
電源オン時に装置本体各部に電流を供給する電源手段であって、予め定められた入力操作が行われると、一定時間経過後に前記装置本体を電源オフ状態または電源オンを待ち受けるスタンバイ状態にするスリープモードを実行する電源手段を備え、
前記電源手段は、
前記スリープモード実行中、前記一定時間の間に前記検出手段において前記操作信号が検出されると、その操作が音量のダウンを含む所定の操作であるかどうかを判定し、
その操作が前記所定の操作であれば、前記一定時間経過後に前記装置本体を前記電源オフ状態または前記スタンバイ状態にし、
その操作が前記所定の操作でなければ、前記スリープモードを中止して、前記電流の供給を継続するテレビ受像機。
【請求項３】
装置本体にセットされているメディアに記録されているデータを再生する再生手段を備え、
前記所定の操作は、さらに、前記メディアの再生停止又は前記メディアのエジェクトを含むテレビ受像機。
【請求項４】
放送局から伝送されてきたテレビ放送信号から、選択されているチャンネルのテレビ放送信号を受信する受信手段と、
前記予め定められた入力操作が行われると、前記受信手段で受信された前記選択されているチャンネルのテレビ放送信号のメディアへの録画を開始する録画手段と、を備え、
前記電源手段は、前記スタンバイ状態において、前記受信手段および前記録画手段に対してのみ、前記電流の供給を継続する請求項２又は３に記載のテレビ受像機。
【発明の詳細な説明】
【技術分野】
【０００１】
本発明は、装置の消し忘れを検知して電源を自動的にオフするスリープ機能を有するテレビ受像機に関するものである。
【背景技術】
【０００２】
従来、テレビ受像機では、ユーザが使用時に電源をオンし、不使用時には電源をオフする等、電源回路の制御をユーザに委ねている。そのため、ユーザが装置を使用しないにも係わらず電源をオンしたまま離席して、電源がオン状態であることを忘れてしまった場合には、消費電力の無駄となる問題がある。
そこで、従来においても、装置の消し忘れを検知して電源を自動的にオフするスリープ機能を有するテレビ受像機が採用されている。
【０００３】
このスリープ機能を有効にすると、ユーザが装置を使用しないにも係わらず電源をオンしたまま離席して、電源がオン状態であることを忘れてしまった場合でも、予め定められた一定時間が経過した後、自動的に電源がオフされる。このスリープ機能により、従来のテレビ受像機は、消費電力を節約していた。
一方、特許文献１では、磁気テレビ受像機が提案されている（特許文献１参照）。
【特許文献１】特開平５−８１７３３号公報
【発明の開示】
【発明が解決しようとする課題】
【０００４】
しかしながら、上記スリープ機能を一度有効にすると、一定時間が経過した後、必ず自動的に電源がオフされる。そのため、スリープ機能を一度有効にした場合であって現在視聴しているテレビ番組をユーザが引き続き視聴したくなった場合でも、従来のテレビ受像機では、強制的に電源がオフされてしまっていた。そこで、強制的に電源がオフされるのを防ぐため、ユーザはスリープ機能を無効にする無効操作を行うが、その無効操作は、複数回のキー操作が必要など、複雑なものであった。
従って、スリープ機能を有するテレビ受像機では、ユーザの使い勝手（ユーザビリティ）が悪いという問題があった。このため、従来のテレビ受像機では、スリープ機能の使用率が低かった。
【０００５】
本発明はこのような従来の課題を解決しようとするものであり、スリープ機能を有効にしても、簡単に無効にでき、且つ装置の消し忘れを検知して電源を自動的にオフすることができるテレビ受像機を提供することを目的とする。
【課題を解決するための手段】
【０００６】
本発明のテレビ受像機は、前記課題を解決するために以下の構成を備えている。
【０００７】
（１）複数のキーが設けられ、操作されたキーに応じた操作信号を出力する操作手段と、
前記操作手段から出力された前記操作信号を検出する検出手段と、を備えたテレビ受像機において、
電源オン時に装置本体各部に電流を供給する電源手段であって、予め定められた入力操作が行われると、一定時間経過後に前記装置本体を電源オフ状態または電源オンを待ち受けるスタンバイ状態にするスリープモードを実行する電源手段を備え、
前記電源手段は、
前記スリープモード実行中、前記一定時間の間に前記検出手段において前記操作信号が検出されると、その操作が音量のダウンを含む所定の操作であるかどうかを判定し、
その操作が前記所定の操作であれば、前記一定時間経過後に前記装置本体を前記電源オフ状態または前記スタンバイ状態にし、
その操作が前記所定の操作でなければ、前記スリープモードを中止して、前記電流の供給を継続する。
【０００８】
この構成において、予め定められた入力操作は、スリープ機能を有効にするための操作である。一定時間は、予め設定される時間であり、例えば９０分である。所定の操作は、ユーザがスリープモードの継続を意図している可能性が高い操作である。所定の操作は、ユーザによる消極的操作であると定義し、例えば音量のダウンである。ここで、消極的操作以外の操作を積極的操作と定義する。積極的操作は、例えばチャンネルの切り替え、音量のアップである。
【０００９】
この構成では、ユーザがテレビ番組を視聴してる場面を想定している。この場面で、ユーザは予め定められた入力操作によってスリープ機能を有効にする。そして、電源手段は、スリープモード実行中にユーザからの入力操作があると、その操作に応じた処理を行う。
その処理について詳述すると、ユーザからの入力操作が消極的操作の場合、電源手段は、一定時間経過後に装置本体を電源オフ状態またはスタンバイ状態にする。この処理では、ユーザがスリープモードの継続を意図していると推定している。一方、ユーザからの入力操作が積極的操作の場合、電源手段は、スリープモードを中止して、電流の供給を継続する。即ち、積極的操作があれば、その操作をもってスリープ機能を無効にしている。
これにより、スリープ機能を一度有効にした場合であって現在視聴しているテレビ番組をユーザが引き続き視聴したくなった場合でも、ユーザは、簡単な操作によりスリープ機能を無効にすることができる。即ち、テレビ受像機の電源が強制的にオフされることがなくなる。また、消極的操作があってもその操作をもってスリープ機能を無効にしないので、装置の消し忘れに失敗することもない。
従って、スリープ機能を有効にしても、簡単に無効にでき、且つ装置の消し忘れを検知して電源を自動的にオフすることができる。このため、スリープ機能の使用率も向上できる。
【００１０】
（２）装置本体にセットされているメディアに記録されているデータを再生する再生手段を備え、
前記所定の操作は、さらに、前記メディアの再生停止又は前記メディアのエジェクトを含む。
【００１１】
この構成において、テレビ受像機は、メディアを再生可能な複合機であり、例えばＤＶＤテレビ、ＨＤＤテレビである。メディアは、例えばハードディスク（ＨＤ）、ＤＶＤなどの光ディスクである。
この構成では、ユーザが、メディアに記録されているコンテンツを再生して、該コンテンツを視聴してる場面を想定している。この場面で、ユーザは予め定められた入力操作によってスリープ機能を有効にする。
この構成によれば、上記（１）と同様の効果を奏する。
【００１２】
（３）放送局から伝送されてきたテレビ放送信号から、選択されているチャンネルのテレビ放送信号を受信する受信手段と、
前記予め定められた入力操作が行われると、前記受信手段で受信された前記選択されているチャンネルのテレビ放送信号のメディアへの録画を開始する録画手段と、を備え、
前記電源手段は、前記スタンバイ状態において、前記受信手段および前記録画手段に対してのみ、前記電流の供給を継続する。
【００１３】
この構成において、テレビ受像機は、メディアに対してデータを録画可能な複合機であり、例えばＤＶＤテレビ、ＨＤＤテレビである。
ここで、予め定められた入力操作によってスリープ機能を有効にした場合、ユーザは、その入力操作を行った後に就寝する可能性が高い。このため、ユーザは、現在選択しているテレビ番組の内容を覚えていないことが多い。
この構成においては、現在選択されているテレビ番組を録画する。
これにより、ユーザは、次回、メディアに録画されたテレビ番組を再生できる。このため、現在選択しているテレビ番組の放送中に寝てしまっても、ユーザは、現在選択しているテレビ番組の内容を後で再び視聴することができる。従って、ユーザの使い勝手が向上する。
【００１４】
なお、上記の構成に、次の構成を追加しても構わない。受信手段は、さらに、テレビ放送信号の各チャンネルで放送されているテレビ番組の放送終了時刻を示す電子番組表を受信する。さらに、録画手段は、電子番組表に基づいて、受信手段で受信された選択されているチャンネルのテレビ放送信号を、前記放送終了時刻までメディアに録画する。これにより、現在選択されているテレビ番組だけをメディアに録画できる。そのため、メディアの容量を無駄にしなくとも済む。
【発明の効果】
【００１５】
この発明によれば、スリープ機能を有効にしても、簡単に無効にでき、且つ装置の消し忘れを検知して電源を自動的にオフすることができる。このため、スリープ機能の使用率も向上できる。
【発明を実施するための最良の形態】
【００１６】
以下、本発明の実施形態であるテレビ受像機について説明する。
【００１７】
図１は、本発明の実施形態であるテレビ受像機の主要部の構成を示すブロック図である。テレビ受像機１００は、所謂ＨＤＤ（ハードディスクドライブ）内蔵型テレビである。テレビ受像機１００は、該装置の各部を集中的に制御・監視するための図示のないマイクロコンピュータなどから構成される制御部１０と、アンテナを介してテレビ放送信号を受信するチューナ１１と、情報を記憶するハードディスク装置１２と、テレビ放送信号から映像信号と音声信号とＥＰＧデータを分離するセレクタ回路１４と、入力されたデータをデコードするデコーダ１７と、画像処理部１８と、ＯＳＤ画像を示すＯＳＤ信号を生成して出力するＯＳＤ（on screen display）画像生成回路１９と、ユーザからの入力操作を受付ける操作部２２と、ＬＣＤで構成される表示部２００と、音声を放音するスピーカ２０１と、電源オン時に装置本体各部に電流を供給する電源部２１と、を備える。
【００１８】
制御部１０は、制御プログラムを記憶するROM１０Ａと、その制御プログラムで処理されるデータを展開するためのワークフィールドとしてのRAM１０Bと、データを記憶するフラッシュメモリ１０Ｃと、現在時刻を計時するとともに、後述の図２で時間を計測するタイマー回路１０Ｄを有する。
【００１９】
ハードディスク装置１２は、データを記憶するハードディスク１２０と、ハードディスク１２０にデータを記録する記録ヘッド１２Ｗと、ハードディスク１２０からデータを読取る読取ヘッド１２Ｒと、を有する。
【００２０】
操作部２２は、テレビ受像機１００の前面などに設けられてユーザが操作して指示を与えるための複数種類のキーを有する。複数種類のキーには、例えばスリープキー、音量ダウンキー、チャンネルキー、再生キー、停止キーが挙げられる。
スリープキーは、スリープ機能を有効にするためのキーである。音量ダウンキーは、音量のダウンを指示するためのキーである。チャンネルキーは、チャンネルの切り替えを受付けるキーである。再生キーは、ハードディスク１２０に記録されているデータの再生を受付けるキーである。停止キーは、再生の停止を受付けるキーである。
なお、この実施形態では、操作部２２はテレビ受像機１００の筐体前面に設けられているが、別体のリモートコントローラの操作面に設けられていてもよい。
【００２１】
電源部２１は、商用電源からテレビ受像機１００の駆動電源を取り出し、装置本体各部に電流を供給する
放送局から伝送されてきたテレビ放送信号は、アンテナを介して受信され、チューナ１１に与えられる。チューナ１１は、制御部１０の指示に基づいて、選択されているチャンネルのテレビ放送信号をアンテナの受信信号から抽出する。ここで、チャンネルは、ユーザが操作部２２でチャンネルの選択操作をして、その命令が制御部１０に伝送されることにより指示される。そして、チューナ１１は、抽出したテレビ放送信号をセレクタ回路１４に出力する。
【００２２】
セレクタ回路１４は、入力されたテレビ放送信号を復調して、ディジタルデータであるトランスポートストリーム（以下、ＴＳ）を取得する。このＴＳには、各テレビ番組の画像や音声等の要素信号が納められたＴＳパケットが多重されている。さらに、セレクタ回路１４は、ＴＳから、画像データと音声データとEPGデータとを分離抽出する。ここで、分離抽出された画像データは、例えばMPEGでエンコードされている。
また、セレクタ回路１４は、通常時、画像データと音声データとをデコーダ１７に出力するとともに、ＥＰＧデータを制御部１０に出力する。EPGデータには、各チャンネルで放送されている番組の属性（番組名、出演者、放送開始時刻と終了時刻等）が記述されている。そして、制御部２は、セレクタ回路１４から出力されたEPGデータをフラッシュメモリ１０Ｃに記録する。
【００２３】
一方、セレクタ回路１４は、制御部１０からテレビ番組の記録が指示されると、画像データと音声データとをハードディスク装置１２に出力する。ハードディスク装置１２は、制御部１０の制御の下に、入力された画像データと音声データをハードディスク１２０に記録ヘッド１２Ｗにより記録する。また、ハードディスク装置１２は、ハードディスク１２０から画像データと音声データなどを読取ヘッド１２Ｒにより読取って、制御部１０とデコーダ１７に読取データとして出力する。ハードディスク装置１２の動作モード（記録モード・再生モードなど）を制御するための指示は、ユーザが操作部２２を操作して与える。
【００２４】
ここで、セレクタ回路１４とハードディスク装置１２との間に、バッファメモリ７を設けておく。この場合、セレクタ回路１４から出力された画像データと音声データは、バッファメモリ７において一時格納された後、順次読出されて、ハードディスク装置１２に入力する。また、ハードディスク装置１２とデコーダ１７との間に、バッファメモリ６を設けておく。この場合、ハードディスク装置１２から出力された画像データと音声データは、バッファメモリ６において一時格納された後、順次読出されてデコーダ１７に入力する。これにより、録画中に録画が停止したり、再生中に再生が途切れることを防止できる。
【００２５】
デコーダ１７は、ハードディスク装置１２又はセレクタ回路１４から画像データと音声データが入力されると、その画像データを（例えばＭＰＥＧで）デコードし、画像処理部１８に出力する。また、デコーダ１７は、その音声データをデコードし、音声処理部２０に出力する。
ＯＳＤ画像生成回路１９は、制御部１０から入力するデータに基づいてＯＳＤ画像を生成して、そのＯＳＤ信号を画像処理部１８に出力する。
【００２６】
画像処理部１８は、制御部１０の制御のもとに、画像データおよびＯＳＤ信号の内のいずれか一方を選択的に受取って、アナログの再生画像信号にＤ／Ａ変換し、表示部２００に出力する。または、画像処理部１８は、制御部１０の制御のもとに、画像データに基づく画像とＯＳＤ信号に基づくＯＳＤ画像とを合成し、その合成データをアナログの再生画像信号にＤ／Ａ変換し、表示部２００に出力する。表示部２００は、この再生画像信号を処理して、その画像を画面に表示する。
さらに、音声処理部２０は、入力されたデコード済みの音声データをアナログの再生音声信号にＤ／Ａ変換し、スピーカ２０１に出力する。スピーカ２０１は、再生音声信号を処理して、装置外部に音声を放音する。
これにより、ユーザは、この表示部２００およびスピーカ２０１において、画像や音声を視聴する。
【００２７】
また、ハードディスク１２０が、本発明の「メディア」に相当する。ハードディスク１２０が、本発明の「メディア」に相当する。また、チューナ１１が、本発明の「受信手段」に相当する。制御部１０が、本発明の「検出手段」に相当する。また、制御部１０、セレクタ回路１４、ハードディスク装置１２が、本発明の「録画手段」に相当する。また、制御部１０、ハードディスク装置１２、デコーダ１７、が、本発明の「再生手段」に相当する。
【００２８】
ここで、ユーザがテレビ番組を表示部２００およびスピーカ２０１において視聴してる場面、又は、ユーザが、ハードディスク１２０に記録されているコンテンツを再生して、該コンテンツを表示部２００およびスピーカ２０１において視聴してる場面、について説明する。この場面で、ユーザはスリープキーによってスリープ機能を有効にする。
【００２９】
スリープキーでスリープ機能を有効にすると、一定時間（９０分）が経過した後、必ず自動的に電源がオフされる。そのため、スリープ機能を一度有効にした場合であって現在視聴しているテレビ番組をユーザが引き続き視聴したくなった場合でも、従来のテレビ受像機では、強制的に電源がオフされてしまっていた。そこで、強制的に電源がオフされるのを防ぐため、ユーザはスリープ機能を無効にする無効操作を行うが、その無効操作は、複数回のキー操作が必要など、複雑なものであった。詳述すると、スリープキーが押下される都度、一定時間が９０分から徐々に減っていく。この一定時間は、表示部２００でＯＳＤ表示される。そして、最終的に０分になった段階でスリープ機能が無効になる。そして、スリープ機能無効の段階でスリープキーをもう一度押下すると、スリープ機能が有効になり、一定時間が９０分になる。このように、無効操作は複雑である。
そこで、この実施形態では、スリープキーの押下によってスリープ機能が有効になると、制御部１０は、スリープモードを実行し、以下の動作を逐次行う。
【００３０】
図２は、本発明の実施形態であるテレビ受像機の制御部が行う動作を示すフローチャートである。この動作は、ユーザがスリープキーによってスリープ機能を有効にした時の動作である。
【００３１】
まず、制御部１０は、タイマー回路１０Ｄにおいて時間の計測を開始する（Ｓ１）。
【００３２】
そして、一定時間（この実施形態では９０分）が経過するまで（Ｓ２）、制御部１０は、ユーザからの入力操作があるかどうかを判定する（Ｓ３）。この判定は、操作部２２からの操作信号が検出されるかどうかにより行われる。
【００３３】
一定時間が経過すると（Ｓ２）、制御部１０は、電源部２１を制御して、装置本体を電源オフ状態又はスタンバイ状態にする（Ｓ４）。そして、本処理を終了する。
【００３４】
なお、スタンバイ状態では、制御部１０、チューナ１１、セレクタ１４、バッファメモリ７、ハードディスク装置１２にのみ、電源部２１が電流を供給する。
【００３５】
一方、Ｓ２において一定時間が経過するまでにユーザからの入力操作があると、制御部１０は、その操作が消極的操作かどうかを判定する（Ｓ５）。消極的操作は、例えば音量のダウン（ミュート含む）、ハードディスク１２０の再生停止である。また、この実施形態では、消極的操作以外の操作を積極的操作と定義する。積極的操作は、例えばチャンネルの切り替え、音量のアップである。
なお、この実施形態では、ハードディスク１２０をエジェクトできないが、ＤＶＤテレビであれば、実施の際、消極的操作に、メディア（ＤＶＤなど）のエジェクトを含めても構わない。
【００３６】
消極的操作であれば、制御部１０は、Ｓ２に戻り処理を継続する。即ち、制御部１０は、一定時間経過後に装置本体を電源オフ又はスタンバイ状態にする。これにより、装置本体各部への電流の供給が停止する。ここでは、消極的操作により、スリープモードの継続をユーザが意図していると推定している。
【００３７】
一方、消極的操作でなければ、即ち積極的操作であれば、制御部１０は、タイマー回路１０Ｄのタイマーをリセットする（Ｓ６）。そして、制御部１０は、スリープモードを中止し（Ｓ７）、本処理を終了する。これにより、装置本体各部への電流の供給が継続する。
【００３８】
Ｓ６及びＳ７では、ユーザの積極的操作により、強制的に電源がオフされるのを防ぐためスリープモードの中止をユーザが意図していると推定している。そして、積極的操作があれば、その操作をもってスリープ機能を無効にしている。これにより、スリープ機能を一度有効にした場合であって現在視聴しているテレビ番組をユーザが引き続き視聴したくなった場合でも、ユーザは、簡単な操作によりスリープ機能を無効にすることができる。即ち、テレビ受像機１００の電源が強制的にオフされることがなくなる。また、消極的操作があってもその操作をもってスリープ機能を無効にしないので、装置の消し忘れに失敗することもない。
【００３９】
従って、スリープ機能を有効にしても、簡単に無効にでき、且つ装置の消し忘れを検知して電源を自動的にオフすることができる。このため、スリープ機能の使用率も向上できる。
【００４０】
また、本発明の実施形態は、以下の変形例を採用することができる。
図３は、本発明の実施形態の変形例であるテレビ受像機の制御部が行う動作を示すフローチャートである。この動作は、Ｓ１とＳ２の間にＳ１０１とＳ１０２を追加し、Ｓ４をＳ１０３〜Ｓ１０５に置き換え、Ｓ７の後にＳ１０６を追加した動作であり、その他の処理（Ｓ１〜Ｓ３、Ｓ５〜Ｓ７）については、同じである。
【００４１】
ここで、ユーザがスリープキーによってスリープ機能を有効にした場面において、ユーザは、スリープキーを押下した後に就寝する可能性が高い。このため、ユーザは、現在選択しているテレビ番組の内容を覚えていないことが多かった。そこで、この変形例では、スリープキーによってスリープ機能が有効になると、制御部１０は、スリープモードを実行し、図３の動作を逐次行う。
なお、この変形例では、ユーザが、表示部２００およびスピーカ２０１においてテレビ番組を視聴してる場面を想定している。
【００４２】
Ｓ１の後、制御部１０は、現在選択されているチャンネルで放送されるテレビ番組の録画を開始する（Ｓ１０１）。詳述すると、制御部１０は、セレクタ１４に指示し、画像データと音声データをハードディスク装置１２の方に出力させる。また、制御部１０は、ハードディスク装置１２に対して追っかけ再生（別名タイムシフト再生）を指示する。ここで、タイムシフト再生機能とは、録画しながら再生する機能をいう。この指示により、ハードディスク装置１２は、画像データと音声データを記録ヘッド１２Ｗで記録するとともに、記録ヘッド１２Ｗで記録された画像データと音声データを読取ヘッド１２Ｒで順次読取る。ここで、読取られたデータは、デコーダ１７に出力されて再生される。
【００４３】
次に、制御部１０は、フラッシュメモリ１０Ｃから、ＥＰＧを参照する（Ｓ１０２）。これにより、現在録画しているテレビ番組の終了時刻を調べる。
【００４４】
そして、一定時間が経過すると（Ｓ２）、制御部１０は、電源部２１を制御して、装置本体をスタンバイ状態にする（Ｓ４）。このスタンバイ状態では、制御部１０、チューナ１１、セレクタ１４、バッファメモリ７、ハードディスク装置１２にのみ、電源部２１が電流を供給する。
【００４５】
そして、テレビ番組の終了時刻になると（Ｓ１０４）、制御部１０は、録画を停止し（Ｓ１０５）、本処理を終了する。
これにより、ユーザは、次回テレビ受像機１００を使用する際、ハードディスク１２０に録画されたテレビ番組を再生できる。このため、現在選択しているテレビ番組の放送中に寝てしまっても、ユーザは、現在選択しているテレビ番組の内容を後で再び視聴することができる。従って、ユーザの使い勝手が向上する。
また、ＥＰＧを参照しているので、現在選択されているテレビ番組だけをハードディスク１２０に録画できる。そのため、ハードディスク１２０の容量を無駄にしなくとも済む。
【００４６】
なお、Ｓ７ではスリープモードを中止するので、これ以降ユーザが継続してテレビ番組を視聴する可能性が高い。そこで、Ｓ７の後、制御部１０は、録画を停止する（Ｓ１０６）。
【図面の簡単な説明】
【００４７】
【図１】本発明の実施形態であるテレビ受像機の主要部の構成を示すブロック図
【図２】本発明の実施形態であるテレビ受像機の制御部が行う動作を示すフローチャート
【図３】本発明の実施形態の変形例であるテレビ受像機の制御部が行う動作を示すフローチャート
【符号の説明】
【００４８】
２−制御部
６−バッファメモリ
７−バッファメモリ
１０−制御部
１１−チューナ
１２−ハードディスク装置
１２Ｗ−記録ヘッド
１２Ｒ−読取ヘッド
１４−セレクタ回路
１７−デコーダ
１８−画像処理部
１９−ＯＳＤ画像生成回路
２０−音声処理部
２１−電源部
２２−操作部
１００−テレビ受像機
１２０−ハードディスク
２００−表示部
２０１−スピーカ
【図１】
2008244694.tif 000003
【図２】
2008244694.tif 000004
【図３】
2008244694.tif 000005